(57)【要約】筐体ハウジングアセンブリ（１００）は外面（１０４）と区画部（１０６）とを有する筐体ハウジング（１０２）である。ドア（１０８）は筐体ハウジングに対して移動可能に連結され、ドアは閉鎖位置から開放位置に移動できる。ドアは閉鎖位置において、筐体ハウジングの区画部を少なくとも部分的に包囲する。筐体ハウジングアセンブリはまた、ドアに対して付勢された付勢部材（１１０）を備え、ドアを開放位置に移動させる。別の実施態様において、筐体ハウジングアセンブリ（２００）は、着脱可能であり、かつ筐体ハウジングアセンブリとインターロック可能に設計されたフレーム部材（２０１）と、フレーム部材に対して移動可能に連結されたドア（２０８）とを備える。
2007521771.tif 000002
【特許請求の範囲】
【請求項１】
外面および区画部を有する装置デバイスの筐体ハウジングと、
筐体ハウジングに対して移動可能に連結されたドアと、ドアは閉鎖位置から開放位置に移動可能であることと、ドアは閉鎖位置において、筐体ハウジングの区画部を少なくとも部分的に包囲することと、
ドアを付勢してドアを開放位置に移動させるため付勢部材とを備える筐体ハウジングアセンブリ。
【請求項２】
ドアは内部構造と外部構造とをさらに備え、内部構造と外部構造とは相対的的に移動できるように摺動可能に連結されている請求項１に記載の筐体ハウジングアセンブリ。
【請求項３】
内部構造は付勢部材の一部を形成する請求項２に記載の筐体ハウジングアセンブリ。
【請求項４】
閉鎖位置にないときには、内部構造は筐体ハウジングに移動可能に連結され、外部構造は筐体ハウジングとは関係を有していない請求項２に記載の筐体ハウジングアセンブリ。
【請求項５】
外部構造は少なくとも部分的に区画部を包囲するように設計されている請求項２に記載の筐体ハウジングアセンブリ。
【請求項６】
筐体ハウジングはカード着脱スロットをさらに備え、ドアが閉鎖位置にあるときには外部構造はカード着脱スロットへのアクセスを防止し、ドアが開放位置にあるときにはアクセスを可能とする請求項２に記載の筐体ハウジングアセンブリ。
【請求項７】
内部構造は表示面を提供する請求項２に記載の筐体ハウジングアセンブリ。
【請求項８】
表示面は反射面である請求項７に記載の筐体ハウジングアセンブリ。
【請求項９】
筐体ハウジングは嵌合構造をさらに備え、外部構造は突起をさらに備え、閉鎖位置において突起は嵌合構造と係合し、閉鎖位置においてドアを確実に保持する請求項２に記載の筐体ハウジングアセンブリ。
【請求項１０】
筐体ハウジングアセンブリは通信用製品の一部を形成し、筐体ハウジングの区画部は電池用区画部の少なくとも一部を形成する請求項１に記載の筐体ハウジングアセンブリ。
【発明の詳細な説明】
【技術分野】
【０００１】
本発明は筐体ハウジングアセンブリに関する。より詳細には、本発明は区画部を包囲するためのドアを有する筐体ハウジングアセンブリに関する。
【背景技術】
【０００２】
電子装置デバイスは、設計、特性、材料、および部品の分野において継続的なに向上をしつつ急速に進歩し続けている。さらに、電子装置デバイスは性能および全体的なデザインにおいても向上し続けている。電子装置デバイスの設計者の共通の目標は、凹凸があっても日常的な使用にとっては煩わしくない設計にある。従って多くの設計においては、性能や耐久性を損なうことなく、電子装置デバイスのサイズを小さくしてきた。設計の傾向は一層小さな装置デバイスを目指してきた。しかしこのような小さな装置デバイスには、その機能および特性、特に従来設計には見られなかった特性を組み込むための新規な筐体ハウジング設計を必要とする。
【０００３】
大抵の電子装置デバイスは、電子装置デバイスの各種の電子部品を収容する筐体ハウジングアセンブリを備える。筐体ハウジングアセンブリは通常、装置デバイスの部品を保持するとともに、電子装置デバイスの部品を外部要素から保護する機能を有する外被を備えるが、使用者が通常に装置デバイスの操作を行うは、装置デバイス内部にアクセスするために筐体ハウジングは少なくとも一部が除去されることが必要である。例えば、多くの電子装置デバイスにおいて、正常に稼動する間内部に収納されている電池は、交換および／または再充電するために使用者がアクセスする必要がある。電池と同様に、多くの他の内部に収容されている装置デバイス部品に対しては、使用者がアクセスする必要がある。従って、このような装置デバイス筐体ハウジングを封止することはできない。
【０００４】
そのため、多くの筐体ハウジングは使用者が筐体ハウジング内部ヘのアクセスができるように設計されてきた。例えば、ねじを内蔵しており、先にずねじを緩め、その後内部へのアクセスを可能とする筐体ハウジングがある。アクセスするために、筐体ハウジングから完全に脱離させるようなカバーを備える筐体ハウジングもある。
【発明の開示】
【発明が解決しようとする課題】
【０００５】
このような設計により内部へのアクセスはできるが、カバーを置き間違えたり紛失したりすることが多くなる。このような状況では、筐体ハウジングの内部空間は交換部品を入手して取り付けるまで、継続的に外部環境に暴露されたままとなる。
【課題を解決するための手段】
【０００６】
本発明の一実施態様において、筐体ハウジングアセンブリは外面を有するとともに区画部を有する装置デバイス筐体ハウジングを備える。ドアは筐体ハウジングに対して移動可能に連結されており、ドアは閉鎖位置から開放位置へ移動可能である。ドアは閉鎖位置において、筐体ハウジングの区画部を少なくとも部分的に包囲する。筐体ハウジングアセンブリは付勢部材をさらに備え、同部材はドアを付勢して開放位置に移動させる。
【０００７】
ドアはまた内部構造と外部構造とを備え、内部構造と外部構造とは相対的に移動ができるように摺動可能に連結されている。一構成において、内部構造は付勢部材の一部を形成する。さらに、内部構造は筐体ハウジングに対して移動可能に連結され、外部構造は筐体ハウジングとは関係を有さない。他の構成において、外部構造は区画部を少なくとも部分的に包囲するように設計され、外部構造は筐体ハウジング外面の一部を形成する。さらに
、外部構造はドアが閉鎖位置にあるときに区画部を包囲する。
【０００８】
一実施態様において、筐体ハウジングはカード着脱スロットを備える。外部構造は、ドアが閉鎖位置にあるときにはカード着脱スロットへのアクセスを防止し、ドアが開放位置にあるときには同アクセスを可能にする。さらに、内部構造は表示面を提供することができる。一構成において表示面は反射面である。
【０００９】
他の実施態様において、筐体ハウジングは嵌合構造を有し、外部構造は突起を有する。突起は閉鎖位置において嵌合構造と係合し、ドアを確実に閉鎖位置に保持する。嵌合構造は凹部、開口、または突起を受承することに適する他の構造である。さらに、筐体ハウジングアセンブリは通信用製品の一部を形成し、筐体ハウジングの区画部は少なくとも電池区画部の一部を形成する。
【００１０】
本発明の他の態様において、筐体ハウジングアセンブリは外面および区画部領域を有する筐体ハウジング本体を備える。付勢部材は筐体ハウジング本体に連結し、ドアは付勢部材に対して摺動可能に連結する。ドアは閉鎖位置においてのみ筐体ハウジング本体と係合し、閉鎖位置ではない場合には付勢部材に対して相対的に移動することができる。付勢部材はドアに対して相対的に移動可能な内部のほぼ平面をなす部材を有する。さらに内部のほぼ平面をなす部材は反射面を提供する。
【００１１】
本発明のさらに別の態様において、筐体ハウジングアセンブリは区画部を有する装置デバイス筐体ハウジングを備える。ドアは筐体ハウジングに対して移動可能に連結され、区画部を少なくとも部分的に包囲するような形状を備える。ドアは開放位置から閉鎖位置に移動可能であり、付勢部材はドアを付勢し、ドアを開放位置に移動させる。ドアは互いに摺動可能に連結した外部平面部材と内部平面部材とを備え、内部平面部材は筐体ハウジングに対して移動可能に連結されている。一構成において内部平面部材は反射面を提供する。さらに、筐体ハウジングはカード着脱スロットを備え、外部平面部材は、ドアが閉鎖位置にあるときにはカード着脱スロットへのアクセスを防止し、ドアが開放位置にあるときには同アクセスを可能にする。
【００１２】
本発明のさらに別の態様において、筐体ハウジング本体アセンブリに着脱可能なドアアセンブリが備えられている。着脱可能なドアアセンブリは、筐体ハウジングアセンブリと着脱可能であり、かつインターロック可能なように設計されたフレーム部材を備える。着脱可能なドアアセンブリはまた、フレーム部材と移動可能に連結されたドアと、フレーム部材およびドア部材のうちの１つ以上と連結した付勢部材とを備え、付勢部材はフレーム部材に対してドアを相対的に移動させる。
【００１３】
一構成において、ドアは筐体ハウジングに形成された区画部の一部分を少なくとも部分的に包囲するように設計されている。ドアは内部構造と外部構造とをさらに備え、内部構造と外部構造とは摺動可能に連結され、それにより相対的な移動が可能である。さらに内部構造は付勢部材の一部を形成する。内部構造はフレーム部材に対して移動可能に連結され、外部構造は内部構造に対して摺動自在である。
【００１４】
別の構成において、外部構造は筐体ハウジングの外面の一部を形成するように設計されている。内部構造は表示面を提供する。表示面は反射面である。外部構造は筐体ハウジングにより提供される嵌合構造に係合するための突起をさらに備え、この係合によりドアを確実に閉鎖位置に保持する。
【発明を実施するための最良の形態】
【００１５】
本明細書は新規であり、かつ自明ではない本発明の特徴を明記する請求項により帰結す
る。本発明は以下の説明を図面とともに考慮することによりさらに充分に理解される。類似の参照番号は複数図面において用いられる。
【００１６】
図面には好ましい実施態様を明示する。しかし、本発明は図示した構成および方法に限定されるものではないことは、理解されるべきである。
本発明は通信用製品などの装置デバイスのための筐体ハウジングアセンブリ１００を提供する。図１には、筐体ハウジング内部へのアクセスを可能とする筐体ハウジングアセンブリ１００の一実施態様を図示する。筐体ハウジングアセンブリ１００は筐体ハウジング１０２、筐体ハウジング外面１０４、区画部１０６、ドア１０８、および付勢部材１１０を備える。区画部１０６は電池などの多種の付属装置デバイス部品のための空間を備える。区画部１０６の幾何学寸法は、その空間を占める対象物の幾何学寸法により変化する。例えば、様々な携帯型電子装置デバイス用の様々な電池技術を用いた電池パックは、多様な幾何学形状を有する。筐体ハウジング１０２はまた、ＩＣカードホルダ１１２およびスロット１１４、ならびにドア１０８を確実に保持することに用いる嵌合構造１１６，１１８を備える。筐体ハウジング１０２、筐体ハウジング外面１０４、区画部１０６、およびドア１０８は、プラスチック、金属、セラミック、硬質ゴム、または任意の他の適切な材料により形成される。
【００１７】
ドア１０８は筐体ハウジング１０２に対し移動可能に連結され、ドア１０８が開放位置（図１）および閉鎖位置（図３）に移動することができる。開放位置では、少なくとも区画部１０６へのアクセスが可能で、筐体ハウジング内部へのアクセスをすることができる。反対に閉鎖位置においては、ドア１０８は完全ではなくとは言えなくとも、少なくとも部分的に区画部１０６へのアクセスを防止する。さらに閉鎖位置において、ドア１０８は筐体ハウジング１０２に対して確実に保持され、ドア１０８の意図不測のせざる開放を防止する。
【００１８】
ドア１０８は、移動可能な連結を提供するフックおよび機械的な固定具などの多様な着設手段により、筐体ハウジング１０２に対して移動可能に連結され、それによりドア１０８が開放位置から閉鎖位置に移動することを可能とする。例えば、ドア１０８は筐体ハウジング１０２に連結されたり、他の方法により設けられたりした軸１２２に蝶着された角度を付した取付け着設部材、および／または屈曲した着設部材取付け部材１２０を備える。このような構成において、ドア１０８は枢動し区画部１０６へのアクセスを可能にするとともに、筐体ハウジング１０２に対する連結を維持する。これによりドア１０８の置き間違え、および／または紛失を防止する。ドア１０８が閉鎖位置と開放位置との間を摺動できるようにするための各種の溝の設計などの、任意の適切な部品および構成を用いてドア１０８を移動可能に連結することができるが、本発明はこの点において限定されるものではない。
【００１９】
付勢部材１１０はドア１０８に対向して配置され、ドア１０８を開放位置に移動させる。付勢部材１１０はレバーアーム１２４を有するばね１２３を備え、レバーアーム１２４はドア１０８が閉鎖位置に進むとばねが圧縮されるように構成されている。このような構成において、圧縮された付勢部材１１０は、ドア１０８を開放位置に押しやることにより圧縮力を開放しようとする。これにより、ドア１０８は、筐体ハウジング１０２に保持されていないときには、使用者が操作しなくとも開放位置に移動する。付勢部材１１０により惹起されるこのような移動はまた片手操作を簡易にし、使用者はドア１０８を固定位置から単に開放すればよく、それによりドア１０８が開放位置に移動する。さらに付勢部材１１０は、金属、プラスチック、複合材料、および付勢力を付与する同様のものなどの任意の材料により形成される。
【００２０】
任意の他の部品および／または構成と同様に、付勢部材１１０はばねに限定されるもの
ではなく、例えば、屈曲により付勢されるほぼ平面をなす部材が適することに留意するべきである。例えば、付勢部材はドア１０８の一部により形成される。内部構造１２６の一部は、付勢部分を備えたほぼ平面をなす部材としての付勢部材１１０であり得るってよい。従ってこのような構成においては、内部のほぼ平面をなす部材はドア１０８に対して相対的に移動することができる。またこのような構成においては、内部のほぼ平面をなす部材は表示面１３２を反射面とすることができる。
【００２１】
従って、圧縮状態にされたばねおよび／またはほぼ平面をなす部材の付勢部分は、ドア１０８全体を開放位置に押しやる付勢部材１１０である。さらに、付勢部材１１０は、当業者であれば認識できるように、圧縮された状態に限定されず、付勢部材１１０はドア１０８を開放位置に押しやるように張設することができる。
【００２２】
ドア１０８は内部構造１２６（または内部平面部材１２６）と外部構造１２８（または外部平面部材１２８）とを備え、内部構造１２６と外部構造１２８とは相対的な移動ができるように、摺動可能に連結されている。内部構造１２６は筐体ハウジング１０２に連結され、外部構造１２８は内部構造１２６に対して摺動可能に連結されている。この構成において、内部構造１２６は外部構造１２８に設置された溝１３０内に摺動可能に配置されており、この溝により、外部構造１２８が内部構造１２６に対して相対的に摺動することができる。なお、一実施態様において、内部構造１２６はドア１０８を開放位置に付勢する付勢部材の一部を形成する。
【００２３】
図２，３には静止状態の内部構造１２６を透視斜視図として図示するが、外部構造１２８は内部構造１２６に対して相対的に摺動し、さらに外部構造１２８は筐体ハウジング１０２とは別に移動する。上記の検討において、付勢部材１１０はドア１０８を開放させる。さらに、内部構造１２６と外部構造１２８とは、このような相対的な摺動を可能とする任意の適切な部品および構成により摺動可能に連結されていることに留意されたい。さらに外部構造１２８が筐体ハウジング１０２に連結され、内部構造１２６は筐体ハウジング１０２とは分離されるとともに、外部構造１２８に対して相対的に摺動することができることにも留意されたい。
【００２４】
内部構造１２６はまた、ドア１０８が図１に示す開放位置に移動したときに、見易い方向に向けられ得る表示面１３２を備える。表示面１３２は、約７ｘ１０−７ｍ〜４ｘ１０−７ｍの範囲の波長を有する少なくとも可視光スペクトルを反射することができる反射性材料により形成される。このような反射性材料には鏡面を付したガラス、研磨した金属、反射性金属、鏡面を付した薄膜があるが、これに限定されない。このような構成において、表示面１３２は、化粧用のコンパクトケースと類似の容貌チェックや修正に便利な携帯型鏡を使用者に提供することができる。
【００２５】
他の構成において、表示面１３２はラベル表示用の表面である。表示面１３２に表示される可能性を有する標識類を列挙すれば、広告、企業のロゴ、装置デバイス操作法説明、安全に関する警告、電池除去法説明、および住所などの個人情報であるが、これらに限定されない。上記情報の一部は付属装置デバイス内に電子的に格納することが可能であるが、表示面１３２上に情報を表示することは、停電の際に情報を直ちに入手可能としたり、多くの装置デバイスにより利用可能な格納された情報サービスを利用することを快しとしない使用者に対して利用可能としたりもする。しかし、ドア１０８が閉鎖位置にあるときには表示面１３２を見ることができないので、表示面１３２は表示情報の機密性を保持できる。
【００２６】
外部構造１２８はまた、突起１３４または複数突起１３４，１３６，１３８を備え、ドア１０８を確実に閉鎖位置に保持する。閉鎖動作の際、突起１３４，１３６，１３８は嵌
合構造１１６，１１８と整合するように配置されている。図２，３に示すように、閉鎖位置において、突起１３４，１３６，１３８は夫々の嵌合構造１１６，１１８と係合する。嵌合構造１１６，１１８は突起１３４，１３６，１３８と確実に係合できる開口および凹部または任意の他の構造を備える。さらに、突起１３４，１３６，１３８はドア１０８を閉鎖位置に一層確実に保持するためのフックなどの傾斜部分を備える。
【００２７】
外部構造１２８は区画部１０６を少なくとも部分的に包囲するように設計される。区画部１０６を包囲したり、少なくとも部分的に包囲したりすることにより、外部構造１２８は電池などの区画部対象物が区画部１０６から非意図的に不測の排除除去をされることを防止できる。ドア１０８が閉鎖位置にあることにより、外部構造１２８は区画部を包囲する。さらに、外部構造１２８は筐体ハウジング１０２の外面１０４の一部を形成する。例えば、外部構造１２８は筐体ハウジング１０２の外面１０４とほぼ連続した面を形成する寸法にされ得る。さらにドア１０８は、閉鎖位置においてＩＣカードスロット１１４へのアクセスを防止し、一方開放位置においてはＩＣカードスロット１１４へのアクセスを可能とすることができる。このようなアクセスにより、使用者は、ＩＣカードスロット１１４を介し、さらにＩＣカードホルダ１１２への挿脱によりＩＣカードを単に摺動させることにより、ＩＣカードを容易に着脱することができる。
【００２８】
また本発明の構成において、筐体ハウジング本体アセンブリ用の着脱可能なドアアセンブリが提供される。着脱可能なドアアセンブリは、使用者が筐体ハウジング本体アセンブリに、異なるデザインによる異なる色彩のドアを有するなどの電話の外観を変更するための、多様なドアを装備することを可能とする。さらにドアを変更することにより、より大サイズの電池を収容したり、個人の所有物を格納したりするための一層大容積な区画部を備えるなどの付加機能を、筐体ハウジング本体アセンブリに付与することができる。勿論、交換ドアはまた要望に応じ、区画部のサイズを低減する別の構成にすることができる。
【００２９】
図４には筐体ハウジング本体アセンブリ２０２から離脱された着脱可能なドアアセンブリ２００の一実施態様を示す。着脱可能なドアアセンブリ２００は、フレーム部材２０１、ドア２０８、および付勢部材２１０を備える。さらに、筐体ハウジング２０２は外面２０４および区画部２０６を備える。上記の実施態様と同様に、ドア２０８はフレーム部材２０１に対して移動可能に連結され、付勢部材２１０は少なくともフレーム部材２０１とドア２０８とに連結されている。付勢部材２１０はフレーム部材２０１に対してドアを相対的に移動させる。従って、ドアアセンブリ２００が筐体ハウジング２０２に着設取着しているときには、付勢部材２１０はドア２０８を開放位置へ押しやることができる。
【００３０】
フレーム部材２０１は、筐体ハウジング２０２との着脱およびインターロック可能なように設計された構造を備える。フレーム部材２０１の幾何学寸法は、筐体ハウジング２０２と構造的に嵌合するように設計されており、それによりフレーム部材２０１は筐体ハウジング２０２に形成された適切な凹部および開口に入り込む。例えば、フレーム部材２０１の突起２４２は、筐体ハウジング２０２に形成された開口２４０の寸法に対応するように設計されている。これらの突起２４２は開口２４０と嵌合する。フレーム部材２０１が開口２４０に挿入されると、着脱可能なドアアセンブリ２００のフレーム部材２０１および他の部品は、筐体ハウジング２０２に確実に連結する。従ってこのような構成において、フレーム部材２０１はフック、ねじ、および／または接着剤のような機械的な係着をすることなく、筐体ハウジング２０２に対して確実に保持される。そうとは言え、機械的な係着をすればることにより、フレーム部材２０１を筐体ハウジング２０２にさらに確実に保持させることは、留意されるべきである。
【００３１】
フレーム部材２０１および／または筐体ハウジング２０２はプラスチックのような半可撓性を有する材料により形成され、それにより若干の撓みおよび屈曲が可能となる。この
ような構成において、フレーム部材２０１は、挿入の際に筐体ハウジング２０２および／またはフレーム部材２０１が若干屈曲することにより、筐体ハウジング２０２に確実に嵌合する。さらに、フレーム部材２０１および筐体ハウジング２０２は異なる材料により形成されていること、すなわち一方は半可撓性材料からなり、他方は可撓性の乏しい材料により形成されていることはが、フレーム部材２０１の挿脱を容易にすることは留意されるべきである。例えば、フレーム部材２０１は金属のような剛体材料により形成され、筐体ハウジング２０２はプラスチックのような半可撓性材料により形成されることが可能である。このような構成であればドアの着脱に際して、筐体ハウジング２０２は若干の撓みおよび屈曲を生じ、剛体のフレーム部材２０１が筐体ハウジング２０２に対して着脱することを可能とする。なお、筐体ハウジング２０２とフレーム部材２０１とが同一材料により形成されること、および筐体ハウジング２０２はフレーム部材２０１が形成されている材料と比較して比較的剛直な材料により形成されることが可能であるように、本発明はこの点に関しては限定されない。
【００３２】
上記の実施態様と同様に、ドア２０８は内部構造２２６と外部構造２２８とを備える。内部構造２２６と外部構造２２８とは相対的な移動が可能なように摺動可能に連結される。このような構成において、内部構造２２６は蝶着構成および／または回動可能な構成によりフレーム部材２０１に対して移動可能に連結され、外部構造２２８は内部構造２２６に対して摺動自在である。内部構造２２６はまた、付勢状態に屈曲された事前付勢金属の一部などの付勢部材２１０の一部を成形する。さらに、外部構造２２８は、ドア２０８を閉鎖位置に保持するため、筐体ハウジング２０２に設置された嵌合構造２１６を係合するための突起２３４を備える。さらに、「付勢部材」はまた付勢部材２１０、内部構造２２６、およびフレーム部材２０１を含むものと解釈され得る。付勢部材２１０は上記の実施態様と同様に、ドア２０８の開扉を容易にする。
【００３３】
また先に検討した実施態様と同様に、内部構造２２６は表示面２３２であることができる。表示面２３２は個人情報、説明文、および／または広告などの情報を表示することができる。さらに表示面２３２は鏡面、金属、および／または反射薄膜などの反射面である。
【００３４】
図５には、ドア２０８が閉鎖位置にある筐体ハウジングアセンブリ２０２に連結された着脱可能なドアアセンブリ２００を図示する。この構成において、ドア２０８は筐体ハウジング２０２の外面２０４の一部を形成する。ドア２０８は、筐体ハウジング２０２に形成された区画部２０６を完全に包囲するように図示されているが、ドア２０８は開口を備えたり、区画部２０６を一部分のみ包囲したりしてよいことに留意されたい。さらにドア２０８は、ドア２０８により包囲された容積を拡大する延長部分２４２を備えることができる。このようなドア２０８は、より大量の格納エネルギーを有する大型電池を挿入することが可能となり、大きなエネルギーを要求するものに対して有用である。ドアアセンブリ２００が容易に着脱可能であるできるので、ドアアセンブリ２００は、大容量の電池を収容する大型のドアアセンブリ、または着衣のポケットに格納しても邪魔にならないための薄型ドアなどの、多様な使用環境に対応するように変更し得るできる。
【００３５】
図面は携帯電話の筐体ハウジングアセンブリを図示しているが、当業者であれば充分に理解すできるように、本発明における実施態様は無線電話、送受信可能な無線機、小型携帯無線呼出し機、携帯情報端末、およびラップトップ型コンピュータなどの他の装置デバイスを含む。さらに上記説明は単に例示することを意図したものであり、本発明を限定することを意味するものではない。本発明を限定するものは添付の請求項に記載の内容以外にはない。
【図面の簡単な説明】
【００３６】
【図１】本発明の構成における、開放位置にあるドアを備える筐体ハウジングアセンブリの一実施態様の斜視図。
【図２】部分的に閉鎖位置にあるドアを備え、筐体ハウジングアセンブリの一部を透視した、図１に示す筐体ハウジングアセンブリの一構成の部分透視斜視図。
【図３】閉鎖位置にあるドアを備え、筐体ハウジングアセンブリの一部を透視した、図１に示す筐体ハウジングアセンブリの別の構成を示す部分透視斜視図。
【図４】筐体ハウジング本体アセンブリから脱離した着脱可能なドアアセンブリの一実施態様を示す斜視図。
【図５】筐体ハウジング本体アセンブリに着設された、図４に示す着脱可能なドアアセンブリを示す斜視図。
【図１】
2007521771.tif 000003
【図２】
2007521771.tif 000004
【図３】
2007521771.tif 000005
【図４】
2007521771.tif 000006
【図５】
2007521771.tif 000007
【国際調査報告】
2007521771.tif 000008